(57)【要約】【課題】障害復旧時の呼解放を防止する。【解決手段】通信システムは、第１交換機と、第２交換機と、第１交換機および第２交換機のいずれかと接続し、子機と通信をする複数の親機とを有する。そして、第２交換機は、複数の親機の中で接続先を第１交換機から第２交換機へ変更した親機に対し、第１交換機を接続先に特定する第１特定情報と異なる第２交換機を接続先に特定する第２特定情報を送信する。【選択図】図２
2015026969.tif 000002
【特許請求の範囲】
【請求項１】
第１交換機と、第２交換機と、前記第１交換機および前記第２交換機のいずれかと接続し、子機と通信をする複数の親機と、を有する通信システムにおいて、
前記第２交換機は、
前記複数の親機の中で接続先を前記第１交換機から前記第２交換機へ変更した親機に対し、前記第１交換機を接続先に特定する第１特定情報と異なる前記第２交換機を接続先に特定する第２特定情報を送信する
ことを特徴とする通信システム。
【請求項２】
前記子機は、
前記第２特定情報を受信した親機と通信をするとき、前記第２特定情報を受信した親機から受信する信号の受信レベルが弱くなると、警告を出力する
ことを特徴とする請求項１に記載の通信システム。
【請求項３】
交換機と、通信制御装置と、前記交換機および前記通信制御装置のいずれかと接続し、子機と通信をする複数の親機と、を有する通信システムで用いられる通信制御装置において、
前記複数の親機の中で接続先を前記交換機から前記通信制御装置へ変更した親機に対し、前記交換機を接続先に特定する第１特定情報と異なる前記通信制御装置を接続先に特定する第２特定情報を送信する送信部
を備えることを特徴とする通信制御装置。
【請求項４】
第１交換機と、第２交換機と、前記第１交換機および前記第２交換機のいずれかと接続し、子機と通信をする複数の親機と、を有する通信システムの通信制御方法において、
前記第２交換機は、
前記複数の親機の中で接続先を前記第１交換機から前記第２交換機へ変更した親機に対し、前記第１交換機を接続先に特定する第１特定情報と異なる前記第２交換機を接続先に特定する第２特定情報を送信する
ことを特徴とする通信制御方法。
【発明の詳細な説明】
【技術分野】
【０００１】
本発明は通信を制御する技術に関する。
【背景技術】
【０００２】
構内交換機（ＰＢＸ）を利用して無線通信制御する通信システムが実用化されている。構内交換機（ＰＢＸ）は、例えば、通信システムの一つであるＰＨＳシステムにおいて、子機(ＰＳ)から位置登録の要求を受信したとき、構内交換機と接続された親機(ＢＳ)が保持する呼出符号と、子機が保持する呼出符号とが同一である場合、子機を自局位置登録する。
【０００３】
また、構内交換機は、子機から位置登録の要求を受信したとき、構内交換機と接続された親機が保持する呼出符号と、子機が保持する呼出符号とが異なる場合、子機をローミング位置登録する。ＰＨＳは、Ｐｅｒｓｏｎａｌ  Ｈａｎｄｙｐｈｏｎｅ  Ｓｙｓｔｅｍの略である。ＰＢＸは、Ｐｒｉｖａｔｅ  Ｂｒａｎｃｈ  Ｅｘｃｈａｎｇｅの略である。ＢＳは、Ｂａｓｅ  Ｓｔａｔｉｏｎの略である。ＰＳは、Ｐｅｒｓｏｎａｌ  Ｓｔａｔｉｏｎの略である。
【０００４】
また、通信システムでは、通常運用時に用いる構内交換機と同じ局データおよび呼出符号を管理するバックアップ用の構内交換機を使用して、通常運用時に使用する構内交換機に障害が発生したときに通信を継続する。以下の説明では、通常運用時に用いる構内交換機のことを、通常交換機とも言う。また、バックアップ用の構内交換機のことを、予備交換機とも言う。
【０００５】
通信システムでは、例えば、通常交換機に障害が発生したとき、親機が予備交換機に接続要求を送信する。予備交換機は、バックアップ対象となる全ての交換機に対応する呼出符合を記憶している。そして、予備交換機は、親機からの接続要求を受信すると、通常交換機で用いられていた通常運用時と同じ呼出符号を親機に送信する。親機は、交換機から通常運用時と同じ呼出符号を受信し、受信した呼出符号を報知する。そして、予備交換機は、接続された親機を介して、子機から自局位置登録を受け付けることにより、運用を継続する。
【０００６】
その後、通常交換機の障害が復旧されると、予備交換機は、接続された親機に通常交換機の復旧を通知する。そして、親機は、通常交換機の復旧が通知されると、親機の通信エリア内に通話中の子機が存在しないことを確認し、通常交換機と再接続する。また、親機は、通常交換機の復旧を通知されたとき、親機の通信エリア内に通話中の子機が存在すると、子機の通話の終了を確認してから通常交換機と再接続する。
【０００７】
関連する他の技術として、携帯電話機のローミングにおける位置登録時に、ローミング可能な複数のビジタ自営用移動体交換機のシステム呼出符号をホーム局自営用移動体交換機より指示する技術が知られている（例えば、特許文献１）。
【先行技術文献】
【特許文献】
【０００８】
【特許文献１】特開２０００−１３８４６号公報
【発明の概要】
【発明が解決しようとする課題】
【０００９】
前述した通信技術では、例えば、通常交換機の障害が復旧したとき、管轄する通信エリア内に通話中の子機がなく、通常交換機と再接続した親機と、管轄する通信エリア内に通話中の子機があり、予備交換機との接続を継続する親機とが混在することがある。このとき、通話中の子機４ａは、図１に示すように、予備交換機２ｅと接続する親機３ｂの通信エリアから通常交換機２ｄと接続する親機３ａの通信エリアに移動する（方向２）と、ハンドオーバを実行する。すると、通常交換機２ｄは、子機４ａの呼情報を持っていないため、ユーザの意思によらずに子機４ａの呼解放が発生するという問題がある。すなわち、通話中の子機４ａの呼が切断するおそれがある。
【００１０】
本発明は、一側面として、障害復旧時の呼解放を防止する技術を提供する。
【課題を解決するための手段】
【００１１】
本明細書で開示する通信システムのひとつに、第１交換機と、第２交換機と、第１交換機および第２交換機のいずれかと接続し、子機と通信をする複数の親機とを有する通信システムがある。そして、第２交換機は、複数の親機の中で接続先を第１交換機から第２交換機へ変更した親機に対し、第１交換機を接続先に特定する第１特定情報と異なる第２交換機を接続先に特定する第２特定情報を送信する。
【発明の効果】
【００１２】
１実施態様によれば、障害復旧時の呼解放を防止することができる。
【図面の簡単な説明】
【００１３】
【図１】従来の通信システムを示す図である。
【図２】通信システムの一実施例を示す図である。
【図３】交換機の一実施例を示す機能ブロック図である。
【図４】親機の一実施例を示す機能ブロック図である。
【図５】子機の一実施例を示す機能ブロック図である。
【図６】呼出符号情報の一例を示す図である。
【図７】交換機管理情報の一例を示す図である。
【図８】親機管理情報の一例を示す図である。
【図９】子機管理情報の一例を示す図である。
【図１０】宛先管理情報の一例を示す図である。
【図１１】呼情報の一例を示す図である。
【図１２】親機情報の一例を示す図である。
【図１３】子機情報の一例を示す図である。
【図１４】接続要求の受け付け処理を示すフローチャートを示す図である。
【図１５】位置登録処理を示すフローチャートである。
【図１６】位置登録処理を示すフローチャートである。
【図１７】位置登録処理を示すフローチャートである。
【図１８】位置登録処理を示すフローチャートである。
【図１９】子機による警告処理を示すフローチャートである。
【図２０】コンピュータ装置の一実施例を示すブロック図である。
【発明を実施するための形態】
【００１４】
［実施形態］
実施形態の通信システムについて説明する。
【００１５】
図２は、通信システムの一実施例を示す図である。
図２を参照して、通信システムについて説明する。
【００１６】
通信システム１は、例えば、交換機２と、親機３と、子機４とを含む。そして、通信システム１は、例えば、企業の事業所ごとに設置された複数の交換機２を専用線５で結んだ構成を有する。ここで、交換機２とは、例えば、構内交換機である。また、通信システム１とは、例えば、ＰＨＳシステムである。
【００１７】
交換機２は、例えば、通常交換機２ａと、通常交換機２ｂと、予備交換機２ｃとを含む。なお、通信システム１には、通常交換機２ａと、通常交換機２ｂと、予備交換機２ｃとに限定するものではなく、１以上の通常交換機と予備交換機とが含まれていれば良い。また、通常交換機２ａと、通常交換機２ｂと、予備交換機２ｃとは、それぞれ同じ交換機２であっても良い。この場合には、通常運用時に各交換機２が通常交換機として用いられ、いずれかの交換機２に故障が発生したとき、他の交換機２が予備交換機として動作する構成としても良い。以下の説明では、説明の簡単化のため、通常交換機２ａと通常交換機２ｂとが通常運用時に用いられ、予備交換機２ｃが通常交換機２ａや通常交換機２ｂに故障が発生したときに、代わりに子機４の通信を制御するバックアップ用として用いられるものとする。
【００１８】
通常交換機２ａと通常交換機２ｂとは、通常運用時に親機３と接続され、親機３の管轄する通信エリア６（以下、端に通信エリア、または管轄区域とも言う。）内にある子機４の通信を制御する。通常交換機２ａと通常交換機２ｂとは、同じ構成であり、同様の動作をするので、主に通常交換機２ａの説明をし、通常交換機２ｂに関して重複する説明を省略する。
【００１９】
予備交換機２ｃは、通常交換機２ａに障害が発生したとき、複数の親機３の中で接続先を通常交換機２ａ（第１交換機）から予備交換機２ｃ（第２交換機）へ変更した親機３に対し、予備交換機２ｃを接続先に特定する呼出符号Ｃ（第２特定情報、第２識別子）を送信する。なお、呼出符号Ｃは、通常交換機２ａを接続先に特定する呼出符号Ａ（第１特定情報、第１識別子）と異なる符合である。呼出符号とは、例えば、無線局を識別するシステム呼出符号（ＳＹＳ−ＩＤ）であり、各交換機２に別々の符号が付与される。
【００２０】
親機３は、例えば、親機３ａから親機３ｅを含む。また、親機３ａから親機３ｅは、同じ構成であり、同様の動作をするので、主に親機３ｂの説明をし、親機３ａ、および親機３ｃから親機３ｅに関して重複する説明を省略する。
【００２１】
子機４は、子機４ａから子機４ｅを含む。また、子機４ａから子機４ｅは、同じ構成であり、同様の動作をするので、主に子機４ａの説明をし、子機４ｂから子機４ｅに関して重複する説明を省略する。
【００２２】
子機４ａは、呼出符合Ｃを受信した親機３ｂと通信をするとき、呼出符合Ｃを受信した親機３ｂから受信する信号の受信レベルが弱くなり、かつ、呼出符号Ｃを有する他の親機からの信号も検出できない状態になると、ユーザに対して警告を出力する。警告とは、例えば、アラーム音やランプの点滅など、ユーザに注意を喚起するものであれば良い。また、子機４ａは、例えば、親機３ｂから受信する信号の受信レベルを検知し、検知した受信レベルが一定の閾値以下となったとき、親機３ｂから受信する信号の受信レベルが弱くなったと判定しても良い。
【００２３】
図３は、交換機の一実施例を示す機能ブロック図である。
図３を参照して、交換機について説明する。
【００２４】
交換機２は、例えば、制御部１０と、記憶部２０と、送受信部３０とを含む。交換機２は、例えば、後述するコンピュータ装置である。
【００２５】
制御部１０は、処理部１１と、判定部１２と、登録部１３と、提供部１４とを含む。
処理部１１は、親機３からの接続要求があると、交換機２に割当てられた呼出符号を親機３に送信する。
【００２６】
また、処理部１１は、子機４から親機３を介して受信する位置登録要求の送信元アドレスに格納された親機３の宛先を示す親機宛先情報を取得する。そして、処理部１１は、後述する交換機管理情報２２と、親機管理情報２３とを用いて、親機宛先情報から親機が通常運用時に接続される交換機を示す交換機番号を特定する。なお、通常運用時とは、例えば、図２の通信システム１において、親機３ｂが接続される通常交換機２ａが動作している期間のことを言う。また、バックアップ時とは、例えば、図２の通信システム１において、親機３ｂが接続される通常交換機２ａが故障などにより動作停止している期間のことを言う。
【００２７】
以上のように、交換機２では、親機宛先情報を親機３が通常運用時に接続される交換機２を示す情報として扱う。以下の説明では、親機３が通常運用時に接続される交換機２を示す情報のことを、第１情報とも言う。なお、親機３は、通常運用時に接続される交換機２を示す交換機番号を記憶し、記憶した交換機番号を予備の交換機２に対して通知しても良い。この場合、予備の交換機２は、親機３から受信した交換機番号を第１情報として各種処理に用いても良い。
【００２８】
判定部１２は、子機４から受信した位置登録要求に含まれる子機４が通常運用時に接続される交換機２を示す交換機番号（第２情報）と、処理部１１で特定された親機３が通常運用時に接続される交換機２の交換機番号（第１情報）とが一致するか否かを判定する。以下の説明では、子機４が通常運用時に接続される交換機２を示す情報のことを、第２情報とも言う。
【００２９】
登録部１３は、判定部１２において、親機３と子機４とから受信した第１情報と第２情報とが同じ交換機２を示すとき、後述する子機管理情報２４に格納されている子機４に関連付けられた登録種別に自局位置登録であることを示す情報を格納する。
【００３０】
また、登録部１３は、判定部１２において、親機３と子機４とから受信した第１情報と第２情報とが異なる交換機２を示すとき、後述する子機管理情報２４に格納されている子機４に関連付けられた登録種別にローミング位置登録であることを示す情報を格納する。
【００３１】
提供部１４は、例えば、子機４にサービスを提供するとき、子機管理情報２４の子機４に関連付けられた登録種別を参照する。そして、提供部１４は、参照した登録種別が自局位置登録を示すとき、子機４に対して、子機４が通常運用時に収容される交換機に接続されているときと同じサービスを提供する。また、提供部１４は、参照した登録種別がローミング位置登録を示すとき、子機４に対して、ローミング時に提供するように設定されたサービスを提供する。
【００３２】
すなわち、提供部１４は、親機３と子機４とから受信した第１情報と第２情報とが同じ交換機を示すとき、子機４に対して、子機４が通常運用時に収容される交換機に接続されているときと同じサービスを提供する。また、提供部１４は、親機３と子機４とから受信した第１情報と第２情報とが異なる交換機を示すとき、子機４に対して、ローミング時に提供する所定のサービスを提供する。
【００３３】
なお、交換機２には、自局位置登録の子機４に対して提供するサービスと、ローミング位置登録の子機４に対して提供するサービスとが設定されている。
【００３４】
自局位置登録の子機４に提供するサービスには、例えば、着信を保留し、別の子機４や電話機から保留番号でピックアップする機能や、電話機へ対する着信の不在時に自動的に子機４へと着信を転送する機能などが含まれても良い。
【００３５】
ローミング位置登録の子機４に提供するサービスには、例えば、前述した別の子機４や電話機から保留番号でピックアップする機能や、電話機へ対する着信の不在時に自動的に子機４へと着信を転送する機能などを含まなくても良い。
【００３６】
以上のように、自局位置登録する子機４と、ローミング位置登録する子機４とに提供するサービスは、それぞれ別々に設定される。自局位置登録する子機４と、ローミング位置登録する子機４とに提供するサービスには、上述した以外にも、任意のサービスをそれぞれ設定しても良い。
【００３７】
記憶部２０には、例えば、呼出符号情報２１と、交換機管理情報２２と、親機管理情報２３と、子機管理情報２４と、宛先管理情報２５と、呼情報２６とが記憶される。
【００３８】
呼出符号情報２１には、交換機２に付与された呼出符号を示す情報が記憶される。
呼出符号情報２１には、例えば、図６に示す呼出符号テーブル１００が記憶される。そして、呼出符号テーブル１００には、例えば、呼出符号登録番号と、呼出符号情報とが関連付けられて格納される。図６には、一例として、予備交換機２ｃの記憶部２０に記憶される呼出符号テーブル１００を示す。
【００３９】
呼出符号登録番号は、呼出符号を管理するための登録番号を示す情報である。
呼出符号情報は、交換機２に付与された呼出符号を示す情報である。呼出符号は、例えば、各交換機２に割当てられた無線局識別コードでも良い。
【００４０】
実施形態の通信システム１では、各交換機２に異なる呼出符号を付与している。通常交換機２ａと、通常交換機２ｂと、予備交換機２ｃとには、例えば、図２に示すように、呼出符号Ａと、呼出符号Ｂと、呼出符号Ｃとがそれぞれ付与されている。
【００４１】
交換機管理情報２２には、バックアップ対象となる交換機２を示す情報が記憶される。
交換機管理情報２２には、例えば、図７に示す交換機管理テーブル２００が記憶される。そして、交換機管理テーブル２００には、例えば、交換機登録番号と、交換機番号とが関連付けられて格納される。図７には、一例として、予備交換機２ｃの記憶部２０に記憶される交換機管理テーブル２００を示す。
【００４２】
交換機登録番号は、交換機番号を管理するための登録番号を示す情報である。
交換機番号は、交換機２を識別する情報である。交換機番号は、例えば、交換機２に割当てられた局番号でも良い。
【００４３】
親機管理情報２３には、通信システム１に含まれる親機３を示す情報が記憶される。
親機管理情報２３には、例えば、図８に示す親機管理テーブル３００が記憶される。そして、親機管理テーブル３００には、例えば、親機登録番号と、親機識別名と、呼出符号登録番号と、交換機登録番号と、親機宛先情報とが関連付けられて格納される。図８には、一例として、予備交換機２ｃの記憶部２０に記憶される親機管理テーブル３００を示す。
【００４４】
親機登録番号は、親機３を管理するための登録番号を示す情報である。
親機識別名は、親機３を識別するための情報である。
【００４５】
呼出符号登録番号は、バックアップ時に使用する呼出符号に関連付けられた呼出符号登録番号を示す情報である。
【００４６】
交換機登録番号は、親機３が通常運用時に収容される交換機２の交換機登録番号を示す情報である。
【００４７】
親機宛先情報は、親機３のアドレスを示す情報である。親機宛先情報は、例えば、ＩＰアドレスでも良い。
【００４８】
子機管理情報２４は、通信システム１に含まれる子機４を示す情報が記憶される。
子機管理情報２４には、例えば、図９に示す子機管理テーブル４００が記憶される。そして、子機管理テーブル４００には、例えば、子機登録番号と、交換機登録番号と、電話番号と、子機識別子と、認証情報と、位置情報と、登録種別とが関連付けられて格納される。図９には、一例として、予備交換機２ｃの記憶部２０に記憶される子機管理テーブル４００を示す。
【００４９】
子機登録番号は、子機４を管理するための登録番号を示す情報である。
交換機登録番号は、子機４が通常時に使用する交換機２を示す情報である。
【００５０】
電話番号は、子機４を呼び出す電話番号を示す情報である。
認証情報は、子機４と通信を行なうときに用いる情報である。交換機２では、例えば、子機４と通信を行なうとき、子機管理テーブル４００を検索し、子機４から通知された子機識別子に対応する認証情報を用いる。そして、交換機２は、子機４から通知された認証情報と、子機４から通知された子機識別子に対応する認証情報とが一致するとき、認証成功と判定する。そして、交換機２は、子機４との通信を開始する。
【００５１】
位置情報は、子機４を収容する親機３を示す情報である。位置情報には、例えば、子機４を収容している親機３を示す親機識別名が格納される。なお、横棒は、例えば、子機識別子ＰＳ−Ａ３の電源が切られているなどして、位置登録されていない状態を示す。
【００５２】
登録種別は、子機４の登録の種別を示す情報である。自局とは、例えば、自局位置登録を示す。ローミングとは、例えば、ローミング位置登録を示す。なお、横棒は、例えば、子機識別子ＰＳ−Ａ３の電源が切られているなどして、位置登録されていない状態を示す。
【００５３】
宛先管理情報２５には、交換機２の宛先を示す情報が記憶される。
宛先管理情報２５には、例えば、図１０に示す宛先管理テーブル５００が記憶される。そして、宛先管理テーブル５００には、例えば、交換機番号と、交換機宛先情報とが関連付けられて格納される。図１０には、一例として、予備交換機２ｃの記憶部２０に記憶される宛先管理テーブル５００を示す。
【００５４】
交換機番号は、交換機２を示す情報である。
交換機宛先情報は、交換機２の宛先を示す情報である。交換機宛先情報は、例えば、宛先の交換機２を特定するＩＰアドレスでも良いし、宛先の交換機２と接続される専用線を特定する情報でも良い。
【００５５】
呼情報２６には、交換機２に収容される子機４の呼を示す情報が記憶される。
呼情報２６には、例えば、図１１に示す呼テーブル６００が記憶される。そして、呼テーブル６００には、例えば、子機識別子と、呼状態と、接続先情報とが関連付けられて格納される。図１１には、一例として、予備交換機２ｃの記憶部２０に記憶される呼テーブル６００を示す。
【００５６】
子機識別子は、子機４を識別する情報である。
呼状態は、呼制御の状態を示す情報である。呼状態は、例えば、子機４が他の子機４と接続された状態（通話中）や、子機４が他の子機４を呼出している状態（呼出中）などの状態のことである。
【００５７】
接続先情報とは、接続先の子機４を示す情報である。
送受信部３０は、送信部３１と、受信部３２とを含む。
【００５８】
送信部３１は、制御部１０から出力された各種情報を親機３に対して送信する。
受信部３２は、親機３から送信された各種情報を受信する。そして、受信部３２は、親機３から受信した各種情報を制御部１０に入力する。
【００５９】
以下の説明では、一例として、予備交換機２ｃに含まれる送受信部３０の動作について説明する。また、予備交換機２ｃは、親機３ｂと通信接続されているものとする。
【００６０】
受信部３２は、通常運用時に交換機２ａに収容される親機３の中で、交換機２ａとの接続が切断された親機３ｂから送信される接続要求を受信する。そして、受信部３２は、受信した接続要求を制御部１０に入力する。
【００６１】
送信部３１は、接続要求の応答として、制御部１０から予備交換機２ｃに付与されている呼出符号Ｃが入力されると、呼出符号Ｃを親機３に送信する。
【００６２】
さらに、受信部３２は、親機３ｂと交換機２ａとの接続が切断されたとき、親機３ｂが通常運用時に接続される交換機２ａを示す第１情報（親機識別名）を親機３ｂから受信する。また、受信部３２は、通常運用時に交換機２ａに収容される子機４ａが、呼出符号Ｃを報知する親機３ｂの通信エリアにいるとき、位置登録要求と、子機４ａが通常運用時に接続される交換機２ａを示す第２情報（交換機番号）とを子機４ａから受信する。そして、受信部３２は、第１情報と第２情報とを制御部１０に入力する。
【００６３】
以上により、制御部１０の判定部１２は、第１情報と第２情報とが同じ通常交換機２ａを示すと判定する。そして、登録部１３は、子機管理テーブル４００に子機４ａが収容されている親機識別名「ＢＳ−Ａ２」と登録種別「自局」とを格納し、子機４ａを自局位置登録する。
【００６４】
図４は、親機の一実施例を示す機能ブロック図である。
図４を参照して、親機について説明する。
【００６５】
親機３は、例えば、制御部４０と、記憶部５０と、送受信部６０とを含む。親機３は、例えば、後述するコンピュータ装置である。
【００６６】
制御部４０は、処理部４１と、登録部４２とを含む。
処理部４１は、通常運用時に接続される交換機２と親機３との接続が切断されると、後述する親機情報５１を参照し、バックアップ用の交換機２の宛先を取得する。そして、処理部４１は、バックアップ用の交換機２に接続要求を送信する。
【００６７】
さらに、処理部４１は、親機情報５１に格納されている交換機２から最後に受信した呼出符号を報知する。
【００６８】
処理部４１は、通常運用時に接続される交換機２と親機３との接続が切断され、子機４から位置登録要求を受信すると、位置登録要求の送信元アドレスに、親機情報５１に格納されている親機３の親機宛先情報を格納してバックアップ用の交換機２に送信する。
【００６９】
これにより、バックアップ用の交換機２は、交換機管理情報２２と、親機管理情報２３とを用いて、親機宛先情報から親機が通常運用時に接続される交換機を示す交換機番号（第１情報）を特定することができる。また、処理部４１は、通常運用時に接続される交換機２と親機３との接続が切断されると、親機３が通常運用時に接続される交換機２を示す交換機番号（第１情報）をバックアップ用の交換機２に送信しても良い。
【００７０】
登録部４２は、交換機２から呼出符号を受信すると、親機情報５１に格納する。
記憶部５０には、例えば、親機情報５１が記憶される。
【００７１】
親機情報５１には、親機３が通信で用いる情報が記憶される。
親機情報５１には、例えば、図１２に示す親機情報テーブル７００が記憶される。そして、親機情報テーブル７００には、例えば、親機識別名と、第１宛先情報と、第２宛先情報と、親機宛先情報と、呼出符号情報と、通信情報とが関連付けられて格納される。図１２には、一例として、親機３ｂの記憶部５０に記憶される親機情報テーブル７００を示す。
【００７２】
親機識別名は、親機３を識別するための情報である。
第１宛先情報は、親機３が通常運用時に接続する交換機２の宛先を示す情報である。
【００７３】
第２宛先情報は、親機３がバックアップ時に接続する交換機２の宛先を示す情報である。
【００７４】
親機宛先情報は、親機３の宛先を示す情報である。
呼出符号情報は、親機３が報知する呼出符号を示す情報である。呼出符号情報には、例えば、交換機２から最後に受信した呼出符号が格納される。親機３ｂの呼出符号情報は、通常運用時おいて、例えば、親機情報テーブル７００に示すように、交換機２ａから報知される呼出符号Ａが格納される。そして、親機３ｂの呼出符号情報は、バックアップ時おいて、例えば、親機情報テーブル７０１に示すように、交換機２ｃから報知される呼出符号Ｃが格納される。
【００７５】
通信情報には、交換機２との間で呼を特定する情報である呼番号と、子機４と通信する無線チャネルとを関連付けた情報が格納される。親機３は、呼が発生すると、通信情報に呼番号と無線チャネルとを関連付けて格納する。また、親機３は、呼が解放されると、通信情報をクリアする。なお、親機情報テーブル７００は、呼が解放され、通信情報がクリアされている状態を示す。また、親機情報テーブル７０１は、呼が発生し、通信情報に呼番号（Ｎ１）と無線チャネル（ＣＨ１）とが関連付けられて格納されている状態を示す。
【００７６】
送受信部６０は、送信部６１と、受信部６２とを含む。
送信部６１は、制御部４０から出力された情報を交換機２や子機４に送信する。
【００７７】
受信部６２は、交換機２や子機４から信号を受信する。そして、受信部６２は、交換機２や子機４から受信した信号を制御部４０に対して出力する。
【００７８】
図５は、子機の一実施例を示す機能ブロック図である。
図５を参照して、子機について説明する。
【００７９】
子機４は、例えば、制御部７０と、記憶部８０と、送受信部９０と、検出部９３とを含む。子機４は、例えば、後述するコンピュータ装置である。
【００８０】
制御部７０は、処理部７１と、登録部７２とを含む。
処理部７１は、親機３から呼出符号を受信したとき、受信した呼出符号が後述する子機情報８１に格納される主呼出符号と同じであれば、位置登録要求と、子機４の子機識別子とを親機３に送信する。以下の説明では、子機４が、親機３に対して、位置登録要求と、子機４の子機識別子とを送信することを、子機４の自局位置登録の要求とも言う。
【００８１】
処理部７１は、親機３から呼出符号を受信したとき、受信した呼出符号が子機情報８１に格納される副呼出符号のいずれかと同じであれば、位置登録要求と、子機４の子機識別子と、子機４が通常運用時に接続される交換機２の交換機番号とを親機３に送信する。以下の説明では、子機４が、位置登録要求と、子機４の子機識別子と、子機４が通常運用時に接続される交換機２の交換機番号とを送信することを、子機４のローミング位置登録の要求とも言う。
【００８２】
登録部７２は、親機３から呼出符号を受信すると、子機情報８１に格納する。また、登録部７２は、親機３と通信を開始すると、通信先の親機３から通信チャネルを取得し、子機情報８１に格納しても良い。
【００８３】
記憶部８０には、例えば、子機情報８１が記憶される。
子機情報８１には、子機４が通信で用いる情報が記憶される。
【００８４】
子機情報８１には、例えば、図１３に示す子機情報テーブル８００が記憶される。そして、子機情報テーブル８００には、例えば、子機識別子と、交換機番号と、認証情報と、主呼出符号と、副呼出符号１と、副呼出符号２と、位置情報と、設定呼出符号とが関連付けられて格納される。図１３には、一例として、子機４ａの記憶部８０に記憶された子機情報テーブル８００を示す。
【００８５】
子機識別子は、子機４を識別する情報である。
交換機番号は、交換機２を識別する情報である。子機情報テーブル８００の交換機番号には、例えば、子機４が通常運用時に接続する交換機２を示す情報が格納される。
【００８６】
認証情報は、交換機２と通信を行なうときに用いる情報である。認証情報は、交換機２と通信を開始するとき、子機４から交換機２に認証のために送信される情報である。
【００８７】
主呼出符号は、通常運用時に収容される交換機２（局）の呼出符号を示す情報である。
副呼出符号１および副呼出符号２は、ローミング可能な交換機２（局）の呼出符号を示す情報である。なお、副呼出符号は、ローミング可能な収容局が複数あるとき、使用される呼出符号の数に応じた呼出符号を複数格納しても良い。
【００８８】
位置情報は、収容される親機３を示す情報である。子機４は、親機３との通信を開始すると、親機３から親機識別名を取得し、位置情報として格納しても良い。
【００８９】
設定呼出符号は、位置登録の完了後、子機４が位置登録に用いた呼出符号を示す情報である。
【００９０】
子機４の位置登録について説明する。
子機４は、例えば、親機３の通信エリアに移動してきたとき、起動したとき、および受信する呼出符号に変化があったときなどに位置登録を行う。そして、子機４は、位置登録において、通信エリアを管轄する親機３から呼出符号のうち、主呼出符号と同じ呼出符号が報知されているとき、主呼出符号を用いて自局位置登録の要求をしても良い。また、子機４は、位置登録において、通信エリアを管轄する親機３から副呼出符号と同じ呼出符号が報知されているとき、親機３から報知されている副呼出符号を用いてローミング位置登録の要求をしても良い。なお、子機４は、親機３から報知される呼出符号に関わらず、子機４の子機識別子と、子機４が通常運用時に接続される交換機２の交換機番号とを送信するローミング位置登録の要求を行なっても良い。
【００９１】
送受信部９０は、送信部９１と、受信部９２とを含む。
送信部９１は、制御部７０から出力された情報を親機３に送信する。
【００９２】
受信部９２は、親機３から信号を受信する。また、受信部９２は、親機３から受信した信号を制御部７０に対して出力する。
【００９３】
検出部９３は、親機３から受信した信号の受信レベルを測定し、制御部７０に対して出力する。
【００９４】
図１４は、接続要求の受け付け処理を示すフローチャートを示す図である。
図１４を参照して、図２に示す予備交換機２ｃで実行される接続要求の受け付け処理を説明する。
【００９５】
親機３ｂは、通常運用時に接続される通常交換機２ａとの接続状態を監視する。そして、親機３ｂは、通常交換機２ａとの接続が切断されると、親機情報テーブル７００の第２宛先情報を用いて、予備交換機２ｃに接続要求と親機識別名とを送信する。なお、親機３ｂは、通常交換機２ａから故障発生情報を受信することにより、通常交換機２ａとの接続を切断し、予備交換機２ｃに接続要求と親機識別名とを送信しても良い。
【００９６】
予備交換機２ｃは、親機３ｂからの接続要求と親機識別名とを受信する（Ｓ１０１）。
予備交換機２ｃは、親機３ｂからの接続要求を受信すると、親機管理テーブル３００を検索し、親機識別名に関連付けられた呼出符号登録番号を抽出する。さらに、予備交換機２ｃは、呼出符号テーブル１００を検索し、抽出した呼出符号登録番号に関連付けられた呼出符号情報に格納された呼出符号Ｃを抽出する。これにより、予備交換機２ｃは、呼出符号Ｃをバックアップ用の呼出符号として用いると判定する。
【００９７】
そして、予備交換機２ｃは、抽出した呼出符号Ｃを親機３ｂに送信する（Ｓ１０２）。なお、呼出符号テーブル１００に示すように、呼出符号が１つ格納されているとき、予備交換機２ｃは、親機３ｂからの接続要求を受信したとき、呼出符号テーブル１００に格納されている呼出符号Ｃを親機３ｂに送信しても良い。すなわち、予備交換機２ｃは、親機識別名からバックアップ用の呼出符号を検索する処理を省略することができる。
【００９８】
以上の処理により、予備交換機２ｃは、バックアップ用の呼出符号Ｃを親機３ｂが報知する呼出符号として設定する。
【００９９】
図１５〜図１８は、位置登録処理を示すフローチャートである。
図１５を参照して、図２に示す予備交換機２ｃで実行される位置登録処理を説明する。
【０１００】
親機３ｂは、接続要求の受け付け処理において受信した呼出符号Ｃを親機情報テーブル７００に格納する。そして、親機３ｂは、呼出符号Ｃを通信エリアに報知する。これにより、子機４ａは、それまで親機３ｂから報知されていた呼出符号Ａと異なる呼出符号Ｃを受信することになる。すると、子機４ａは、親機３ｂに対して、位置登録要求と、子機４ａを示す子機識別子と、子機４ａが通常時に接続される交換機を示す交換機番号と、認証情報とを送信し、ローミング位置登録の要求をする。このとき、子機４ａは、子機情報テーブル８００を検索し、親機３ｂに送信する子機識別子と、通常運用時に接続する交換機番号と、認証情報とを抽出する。
【０１０１】
予備交換機２ｃは、親機３ｂを介して、子機４ａから位置登録要求と、子機識別子と、交換機番号と、認証情報とを受信する（Ｓ２０１）。親機３ｂは、子機４ａから位置登録要求を受信すると、位置登録要求の送信元アドレスに、親機情報５１に格納されている親機３ｂの親機宛先情報を格納してバックアップ用の交換機２ｃに送信する。
【０１０２】
予備交換機２ｃは、位置登録要求とともに子機４ａが通常時に接続される交換機番号を受信したか否かを判定する（Ｓ２０２）。
【０１０３】
予備交換機２ｃは、交換機番号を受信していないとき（Ｓ２０２にてＮｏ）、後述するＳ４０１の処理を実行する。Ｓ２０２でＮｏとは、Ｓ２０１において、通常運用時に接続される交換機２を示す交換機番号を受信していない状態である。
【０１０４】
子機４ａは、親機３ｂから報知される呼出符号と、子機情報テーブル８００に格納されている主呼出符号が等しいとき、位置登録において自局位置登録を要求する。このとき、子機４ａは、例えば、交換機２ｃに交換機番号を送信しない。これにより、交換機２ｃは、子機４ａから交換機番号を受信しないとき、子機４ａから自局位置登録が要求されたと判定する。すなわち、Ｓ２０２でＮｏとは、予備交換機２ｃが通常交換機として使用されることを示す。
【０１０５】
予備交換機２ｃは、交換機番号を受信したとき（Ｓ２０２にてＹｅｓ）、交換機管理テーブル２００を検索し、受信した交換機番号を含むレコードがあるか否かを判定する（Ｓ２０３）。
【０１０６】
予備交換機２ｃは、交換機番号を含むレコードがないとき（Ｓ２０３にてＮｏ）、後述するＳ５０１の処理を実行する。Ｓ２０３にてＮｏとは、予備交換機２ｃがバックアップする対象の交換機２として、子機４ａが通常運用時に接続する交換機２ａが設定されていないことを示す。
【０１０７】
予備交換機２ｃは、交換機番号を含むレコードがあるとき（Ｓ２０３にてＹｅｓ）、Ｓ３０１の処理を実行する。
【０１０８】
図１６を参照して説明する。
予備交換機２ｃは、子機４ａから親機３ｂを介して受信した位置登録要求の送信元アドレスに格納された親機３ｂの宛先を示す親機宛先情報を取得する（Ｓ３０１）。
【０１０９】
そして、予備交換機２ｃは、親機管理テーブル３００から取得した親機宛先情報に関連付けられた交換機登録番号を抽出する（Ｓ３０２）。
【０１１０】
さらに、予備交換機２ｃは、交換機管理テーブル２００から抽出した交換機登録番号に関連付けられた交換機番号を抽出する（Ｓ３０３）。
【０１１１】
予備交換機２ｃは、Ｓ２０１において、子機４ａから受信した交換機番号と、Ｓ３０１〜Ｓ３０３を実行することにより、親機宛先情報に基づいて抽出した交換機番号とが一致するか否かを判定する（Ｓ３０４）。
【０１１２】
予備交換機２ｃは、子機４から受信した交換機番号と、Ｓ３０３で抽出した交換機番号とが一致するとき（Ｓ３０４にてＹｅｓ）、Ｓ４０１の処理を実行する。このとき、予備交換機２ｃは、親機３ｂと子機４ａとが通常運用時に収容される交換機２が交換機２ａであり、一致すると判定する。
【０１１３】
図１７を参照して説明する。
予備交換機２ｃは、子機管理テーブル４００からＳ２０１において、位置登録要求とともに受信した子機識別子が格納されたレコードを抽出する（Ｓ４０１）。
【０１１４】
そして、予備交換機２ｃは、Ｓ４０１で抽出したレコードに含まれる認証情報を抽出する（Ｓ４０２）。
【０１１５】
予備交換機２ｃは、Ｓ２０１で位置登録要求とともに受信した認証情報と、Ｓ４０１で抽出した認証情報との一致判定することにより、子機４ａとの通信に関する認証処理を実行する（Ｓ４０３）。
【０１１６】
予備交換機２ｃは、Ｓ２０１で位置登録要求とともに受信した認証情報と、Ｓ４０１で抽出した認証情報とが一致すると、認証が成功したと判定し（Ｓ４０３にてＹｅｓ）、子機４ａを自局位置登録する（Ｓ４０４）。このとき、予備交換機２ｃは、子機管理テーブル４００に、子機識別子「ＰＳ−Ａ１」と、位置情報「ＢＳ−Ａ２」とを関連付けて格納する。さらに、予備交換機２ｃは、子機管理テーブル４００に、子機識別子「ＰＳ−Ａ１」と、登録種別「自局」とを関連付けて格納する。そして、予備交換機２ｃは、子機４ａの位置登録処理を終了する。
【０１１７】
予備交換機２ｃは、Ｓ２０１で位置登録要求とともに受信した認証情報と、Ｓ４０１で抽出した認証情報とが一致しないとき、認証が失敗したと判定し（Ｓ４０３にてＮｏ）、子機４ａとの通信を切断する（Ｓ４０５）。そして、予備交換機２ｃは、子機４ａの位置登録処理を終了する。
【０１１８】
図１８を参照して説明する。
図１６に示すＳ３０４において、予備交換機２ｃは、子機４から受信した交換機番号と、Ｓ３０３で抽出した交換機番号とが一致しないとき（Ｓ３０４にてＮｏ）、Ｓ５０１の処理を実行する。このとき、予備交換機２ｃは、親機３ｂと子機４ａとが通常運用時に収容される交換機２が異なると判定する。すなわち、予備交換機２ｃは、親機３ｂと子機４ａとは、ローミングにより通信していたと判定する。
【０１１９】
この場合、予備交換機２ｃは、ローミング元の交換機２を特定するため、宛先管理テーブル５００から、Ｓ２０１において位置登録要求とともに受信した、子機４ａが通常運用時に接続する交換機の交換機番号に関連付けられた交換機宛先情報を抽出する（Ｓ５０１）。これにより、予備交換機２ｃは、子機４ａが通常運用時に接続される交換機２の宛先を抽出する。
【０１２０】
そして、予備交換機２ｃは、抽出した交換機宛先情報が示す宛先の交換機２に、Ｓ２０１にて子機４ａから受信した子機識別子と、認証情報とを含む認証要求を送信する（Ｓ５０２）。
【０１２１】
宛先の交換機２は、予備交換機２ｃから受信した認証要求に含まれる子機識別子に関連づけられた認証情報を抽出する。そして、宛先の交換機２は、抽出した認証情報と、Ｓ２０１で位置登録要求とともに受信した認証情報との一致判定をする（Ｓ５０３）。
【０１２２】
宛先の交換機２は、Ｓ２０１で位置登録要求とともに受信した認証情報と、Ｓ５０３で抽出した認証情報とが一致すると、認証が成功したと判定し（Ｓ５０３にてＹｅｓ）、予備交換機２ｃに認証成功を通知する。
【０１２３】
予備交換機２ｃは、認証成功が通知されると、子機４ａをローミング位置登録する（Ｓ５０４）。このとき、予備交換機２ｃは、子機管理テーブル４００に、子機識別子「ＰＳ−Ａ１」と、位置情報「ＢＳ−Ａ２」とを関連付けて格納する。さらに、予備交換機２ｃは、子機管理テーブル４００に、子機識別子「ＰＳ−Ａ１」と、登録種別「ローミング」とを関連付けて格納する。そして、予備交換機２ｃは、子機４ａの位置登録処理を終了する。
【０１２４】
予備交換機２ｃは、Ｓ２０１で位置登録要求とともに受信した認証情報と、Ｓ５０３で抽出した認証情報とが一致しないとき、認証が失敗したと判定し（Ｓ５０３にてＮｏ）、予備交換機２ｃに認証失敗を通知する。予備交換機２ｃは、認証失敗が通知されると、子機４ａとの通信を切断する（Ｓ５０５）。そして、予備交換機２ｃは、子機４ａの位置登録処理を終了する。
【０１２５】
図１９は、子機による警告処理を示すフローチャートである。
図１９を参照して、子機４による警告処理を説明する。以下の説明では、一例として、親機３ｂと子機４ａとが通信中であるときの動作を示す。なお、親機３ｂと子機４ａとは、無線により信号を送受信しているものとする。
【０１２６】
子機４ａは、親機３ｂとの通信中において、親機３ｂから信号を受信する（Ｓ６０１）と、信号の受信レベルを測定する（Ｓ６０２）。信号の受信レベルの測定は、例えば、図５に示す検出部９３で行なっても良い。
【０１２７】
そして、子機４ａは、親機３ｂから受信する信号の受信レベルが一定の閾値以下であるか否かを判定する（Ｓ６０３）。一定の閾値とは、例えば、図５に示す記憶部８０に格納されても良い。そして、一定の閾値には、例えば、図５に示す子機４ａが管轄区域６ｂと他の区域との境界付近に位置しているとき、子機４ａが親機３ｂから受信する信号の信号レベルを設定しても良い。
【０１２８】
子機４ａは、親機３ｂから受信する信号の受信レベルが一定の閾値よりも大きいとき（Ｓ６０３にてＮｏ）、Ｓ６０１の処理を実行する。
【０１２９】
子機４ａは、親機３ｂから受信する信号の受信レベルが一定の閾値以下のとき（Ｓ６０３にてＹｅｓ）、アラーム音やランプの点滅などにより、ユーザに注意を喚起する。これにより、子機４ａは、通話中のユーザに対して、親機３ｂの管轄区域６ｂから外れて、呼解放が起こるおそれのあることを通知することができる。
【０１３０】
なお、子機４ａは、親機３ｂから受信する信号の受信レベルが一定の閾値以下となったとき（Ｓ６０３にてＹｅｓ）、設定呼出符号を含み、かつ一定の閾値よりも大きい受信レベルの信号を他の親機３から受信可能であれば、ハンドオーバを実行しても良い。このとき、子機４ａは、警告を行なわなくても良い。
【０１３１】
図２０は、コンピュータ装置の一実施例を示すブロック図である。
図２０を参照して、交換機２と、親機３と、子機４との構成について説明する。
【０１３２】
図２０において、コンピュータ装置９００は、制御回路９０１と、記憶装置９０２と、読書装置９０３と、記録媒体９０４と、通信インターフェイス９０５（通信Ｉ／Ｆ）と、入出力インターフェイス９０６（入出力Ｉ／Ｆ）と、表示装置９０７とネットワーク９０８とを備えている。また、各構成要素は、バス９０９により接続されている。
【０１３３】
制御回路９０１は、コンピュータ装置９００全体の制御をする。そして、制御回路９０１は、例えば、ＣＰＵ、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などである。制御回路９０１は、例えば、図３において、制御部１０として機能する。また、制御回路９０１は、例えば、図４において、制御部４０として機能する。さらに、制御回路９０１は、例えば、図５において、制御部７０として機能する。なお、親機３や子機４において、警告処理で用いられる一定の閾値は、例えば、ＣＰＵ、ＦＰＧＡ、およびＰＬＤのキャッシュに記憶されても良い。
【０１３４】
記憶装置９０２は、各種データを記憶する。そして、記憶装置９０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤ（Ｈａｒｄ  Ｄｉｓｋ）などで構成される。記憶装置９０２は、例えば、図３において、記憶部２０として機能する。そして、記憶装置９０２は、例えば、図３に示す、呼出符号情報２１と、交換機管理情報２２と、親機管理情報２３と、子機管理情報２４と、宛先管理情報２５と、呼情報２６とを記憶しても良い。また、記憶装置９０２は、例えば、図４において、記憶部５０として機能する。そして、記憶装置９０２は、例えば、図４に示す、親機情報５１を記憶しても良い。さらに、記憶装置９０２は、例えば、図５において、記憶部８０として機能する。そして、記憶装置９０２は、例えば、図５に示す、子機情報８１を記憶しても良い。
【０１３５】
また、ＲＯＭは、ブートプログラムなどのプログラムを記憶している。ＲＡＭは、制御回路９０１のワークエリアとして使用される。ＨＤは、ＯＳ、アプリケーションプログラム、ファームウェアなどのプログラム、および各種データを記憶している。
【０１３６】
記憶装置９０２は、例えば、制御回路９０１を、制御部１０として機能させる通信制御プログラムを記憶する。また、記憶装置９０２は、例えば、制御回路９０１を、制御部４０として機能させる通信制御プログラムを記憶する。さらに、また、記憶装置９０２は、例えば、制御回路９０１を、制御部７０として機能させる通信制御プログラムを記憶する。
【０１３７】
通信制御をするとき、交換機２、親機３、および子機４は、記憶装置９０２に記憶された通信制御プログラムをＲＡＭに読み出す。そして、ＲＡＭに読み出された通信制御プログラムを制御回路９０１で実行することで、交換機２、親機３、および子機４は、通信制御する処理を実行する。
【０１３８】
なお、通信制御プログラムは、制御回路９０１が通信インターフェイス９０５を介してアクセス可能であれば、ネットワーク９０８上のサーバが有する記憶装置に記憶されていても良い。
【０１３９】
読書装置９０３は、制御回路９０１に制御され、着脱可能な記録媒体９０４のデータのリード／ライトを行なう。そして、読書装置９０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１４０】
記録媒体９０４は、各種データを保存する。記録媒体９０４は、例えば、通信制御プログラムを記憶する。さらに、記録媒体９０４は、図３に示す、呼出符号情報２１と、交換機管理情報２２と、親機管理情報２３と、子機管理情報２４と、宛先管理情報２５と、呼情報２６とを記憶しても良い。記録媒体９０４は、図４に示す、親機情報５１を記憶しても良い。記録媒体９０４は、図５に示す、子機情報８１を記憶しても良い。
【０１４１】
そして、記録媒体９０４は、読書装置９０３を介してバス９０９に接続され、制御回路９０１が読書装置９０３を制御することにより、データのリード／ライトが行なわれる。また、記録媒体９０４は、例えば、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）、およびフラッシュメモリなどである。
【０１４２】
通信インターフェイス９０５は、ネットワーク９０８を介してコンピュータ装置９００と他の装置とを通信可能に接続する。そして、通信インターフェイス９０５は、例えば、図３において、送受信部３０として機能する。また、通信インターフェイス９０５は、例えば、図４において、送受信部６０として機能する。さらに、通信インターフェイス９０５は、例えば、図５において、送受信部９０として機能する。
【０１４３】
入出力インターフェイス９０６は、例えば、キーボード、マウス、およびタッチパネルなどと接続され、接続された装置から各種情報を示す信号が入力されると、バス９０９を介して入力された信号を制御回路９０１に出力する。また、入出力インターフェイス９０６は、制御回路９０１から出力された各種情報を示す信号がバス９０９を介して入力されると、接続された各種装置にその信号を出力する。入出力インターフェイス９０６は、例えば、図３において、ユーザから記憶部２０に格納する情報を受け付けても良い。また、入出力インターフェイス９０６は、例えば、図４において、ユーザから記憶部５０に格納する情報を受け付けても良い。さらに、入出力インターフェイス９０６は、例えば、図５において、ユーザから記憶部８０に格納する情報を受け付けても良い。
【０１４４】
表示装置９０７は、例えば、入出力インターフェイス９０６に接続され、各種情報を表示する。
【０１４５】
ネットワーク９０８は、例えば、ＬＡＮ、無線通信、またはインターネットなどであり、コンピュータ装置９００と他の装置を通信接続する。
【０１４６】
以上のように、実施形態の通信システム１は、例えば、図２に示すように、バックアップ時に、予備交換機２ｃと接続する親機３ｂに対し、通常運用時に、親機３ｂが接続する通常交換機２ａに付与されている呼出符号Ａと異なる呼出符号Ｃを送信する。これにより、予備交換機２ｃと接続している親機３ｂは、通常運用時に用いる呼出符号Ａと異なる呼出符号Ｃを報知する。よって、通常交換機２ａの障害が復旧したとき、通話中の子機４ａは、図２に示すように、予備交換機２ｃと接続する親機３ｂの通信エリアから通常交換機２ａと接続する親機３ａの通信エリアに移動（方向２）しても、子機４ａでハンドオーバが発生しない。すなわち、子機４ａは、予備交換機２ｃと接続する親機３ｂの通信エリアから通常交換機２ａと接続する親機３ａの通信エリアに移動しとき、報知されている呼出符号が呼出符号Ａと呼出符号Ｃとで異なるため、ハンドオーバを実行しない。したがって、実施形態の通信システム１は、共通の呼情報２６を保持していない交換機２間でハンドオーバをしないので、ユーザの意思によらない子機４ａの呼解放を抑制することができる。
【０１４７】
実施形態の通信システム１は、図２に示すように、バックアップ時に、予備交換機２ｃと接続する複数の親機３ｂと親機３ｃとに対し、通常運用時に、親機３ｂと親機３ｃとが接続する通常交換機２ａに付与されている呼出符号Ａと異なる呼出符号Ｃを送信する。これにより、子機４ａは、予備交換機２ｃに接続された親機３ｂと親機３ｃとの通信エリアを移動（方向１）するとき、報知されている呼出符号が呼出符号Ｃで一致するため、呼解放せずにハンドオーバすることができる。
【０１４８】
実施形態の通信システム１の子機４ａは、図２に示す、呼出符号Ｃを受信した親機３ｂの管轄区域６ｂと、呼出符号Ｃを受信していない親機３ａの管轄区域６ａとの間の境界に子機４ａが位置しているとき、ユーザに警告を出力する。これにより、ユーザは、収容される親機３ｂからの距離が離れることにより、呼解放が起こるおそれがあることを事前に認識することができる。
【０１４９】
実施形態の通信システム１では、バックアップ用の交換機２において、子機４からローミング位置登録の要求と、親機３と子機４とから通常運用時に接続される交換機２を示す情報を受信する。そして、バックアップ用の交換機２は、ぞれぞれの情報の示す交換機２が一致するとき、子機４からローミングによる位置登録を受け付けた場合でも、子機４を自局位置登録として登録する。これにより、実施形態の通信システム１では、バックアップ時においても、子機４に対して、子機４が通常運用時に接続される交換機２に接続されているときと同じサービスを提供することができる。
【０１５０】
なお、本実施形態は、以上に述べた実施形態に限定されるものではなく、本実施形態の要旨を逸脱しない範囲内で種々の構成または実施形態を取ることができる。
【０１５１】
以上記載した各実施例を含む実施形態に関し、さらに以下の付記を開示する。なお、本発明は、以下の付記に限定されるものではない。
（付記１）
第１交換機と、第２交換機と、前記第１交換機および前記第２交換機のいずれかと接続し、子機と通信をする複数の親機と、を有する通信システムにおいて、
前記第２交換機は、
前記複数の親機の中で接続先を前記第１交換機から前記第２交換機へ変更した親機に対し、前記第１交換機を接続先に特定する第１特定情報と異なる前記第２交換機を接続先に特定する第２特定情報を送信する
ことを特徴とする通信システム。
（付記２）
前記子機は、
前記第２特定情報を受信した親機と通信をするとき、前記第２特定情報を受信した親機から受信する信号の受信レベルが弱くなると、警告を出力する
ことを特徴とする付記１に記載の通信システム。
（付記３）
交換機と、通信制御装置と、前記交換機および前記通信制御装置のいずれかと接続し、子機と通信をする複数の親機と、を有する通信システムで用いられる通信制御装置において、
前記複数の親機の中で接続先を前記交換機から前記通信制御装置へ変更した親機に対し、前記交換機を接続先に特定する第１特定情報と異なる前記通信制御装置を接続先に特定する第２特定情報を送信する送信部
を備えることを特徴とする通信制御装置。
（付記４）
第１交換機と、第２交換機と、前記第１交換機および前記第２交換機のいずれかと接続し、子機と通信をする複数の親機と、を有する通信システムの通信制御方法において、
前記第２交換機は、
前記複数の親機の中で接続先を前記第１交換機から前記第２交換機へ変更した親機に対し、前記第１交換機を接続先に特定する第１特定情報と異なる前記第２交換機を接続先に特定する第２特定情報を送信する
ことを特徴とする通信制御方法。
（付記５）
第１識別子が付与された第１交換機と、
前記第１識別子と異なる第２識別子が付与され、子機と通信する親機から接続要求があると、前記第２識別子を前記親機に送信する第２交換機と、
第１交換機が動作している通常運用時に第１交換機に収容され、前記第１交換機との接続が切断されると、前記第２交換機に接続要求し、前記第１交換機または前記第２交換機から最後に受信した前記第１識別子または前記第２識別子を報知する複数の親機と、
前記親機から報知される前記識別子を受信し、前記受信した識別子を報知する親機と通信をする子機と、
を備えることを特徴とする通信システム。
（付記６）
前記親機は、さらに、
前記第１交換機との接続が切断されると、前記親機が通常運用時に接続される交換機を示す第１情報を前記第２交換機に送信し、
通常運用時に前記第２交換機以外の交換機に収容される子機は、
前記第２識別子を報知する親機の通信エリアにいるとき、位置登録の要求と、前記子機が通常運用時に接続される交換機を示す第２情報とを前記第２交換機に送信し、
前記第２交換機は、さらに、
前記親機と子機とから受信した前記第１情報と前記第２情報とが前記第１交換機を示すとき、前記子機に対して、前記子機が前記第１交換機に接続されているときと同じサービスを提供する
ことを特徴とする付記５に記載の通信システム。
（付記７）
前記子機は、
通信している親機から受信する信号の受信レベルが弱くなると、警告を出力する
ことを特徴とする付記５または６に記載の通信システム。
（付記８）
第１交換機に付与された第１識別子と異なる第２識別子を記憶する記憶部と、
通常運用時に第１交換機に収容され、前記第１交換機または前記第２交換機から最後に受信した前記第１識別子または前記第２識別子を報知する複数の親機の中で、前記第１交換機との接続が切断された親機から送信される接続要求を受信する受信部と、
前記接続要求を受信すると、前記第２識別子を前記第１交換機との接続が切断された親機に送信する送信部と、
を備えることを特徴とする交換機。
（付記９）
前記受信部は、さらに、
前記親機と前記第１交換機との接続が切断されたとき、前記親機が通常運用時に接続される交換機を示す第１情報を前記親機から受信し、
通常運用時に前記第２交換機以外の交換機に収容される子機が、前記第２識別子を報知する親機の通信エリアにいるとき、位置登録の要求と、前記子機が通常運用時に接続される交換機を示す第２情報とを前記子機から受信し、
前記交換機は、さらに、
前記親機と子機とから受信した前記第１情報と前記第２情報とが前記第１交換機を示すとき、前記子機に対して、前記子機が前記第１交換機に接続されているときと同じサービスを提供する提供部と、
を備えることを特徴とする請求項８に記載の交換機。
（付記１０）
バックアップ用の交換機の通信制御方法であって、
前記交換機は、
第１交換機に付与された第１識別子と異なる第２識別子を記憶し、
通常運用時に第１交換機に収容され、前記第１交換機または前記第２交換機から最後に受信した前記第１識別子または前記第２識別子を報知する複数の親機の中で、前記第１交換機との接続が切断された親機から送信される接続要求を受信し、
前記接続要求を受信すると、前記第２識別子を前記第１交換機との接続が切断された親機に送信する
ことを特徴とする通信制御方法。
（付記１１）
前記交換機は、さらに、
前記親機と前記第１交換機との接続が切断されたとき、前記親機が通常運用時に接続される交換機を示す第１情報を前記親機から受信し、
通常運用時に前記第２交換機以外の交換機に収容される子機が、前記第２識別子を報知する親機の通信エリアにいるとき、位置登録の要求と、前記子機が通常運用時に接続される交換機を示す第２情報とを前記子機から受信し、
前記親機と子機とから受信した前記第１情報と前記第２情報とが前記第１交換機を示すとき、前記子機に対して、前記子機が前記第１交換機に接続されているときと同じサービスを提供する
ことを特徴とする付記１０に記載の通信制御方法。
【符号の説明】
【０１５２】
１  通信システム
２  交換機
３  親機
４  子機
５  専用線
６  管轄区域、通信エリア
１０、４０、７０  制御部
２０、５０、８０  記憶部
３０、６０、９０  送受信部
９３  検出部
９００  コンピュータ装置
９０１  制御回路
９０２  記憶装置
９０３  読書装置
９０４  記録媒体
９０５  通信インターフェイス
９０６  入出力インターフェイス
９０７  表示装置
９０８  ネットワーク
９０９  バス
【図１】
2015026969.tif 000003
【図２】
2015026969.tif 000004
【図３】
2015026969.tif 000005
【図４】
2015026969.tif 000006
【図５】
2015026969.tif 000007
【図６】
2015026969.tif 000008
【図７】
2015026969.tif 000009
【図８】
2015026969.tif 000010
【図９】
2015026969.tif 000011
【図１０】
2015026969.tif 000012
【図１１】
2015026969.tif 000013
【図１２】
2015026969.tif 000014
【図１３】
2015026969.tif 000015
【図１４】
2015026969.tif 000016
【図１５】
2015026969.tif 000017
【図１６】
2015026969.tif 000018
【図１７】
2015026969.tif 000019
【図１８】
2015026969.tif 000020
【図１９】
2015026969.tif 000021
【図２０】
2015026969.tif 000022